(57)【要約】【課題】油吸着能に優れ、環境に優しく、小サイズで簡易に使用でき、かつ製造コストの安い家庭用油吸着マットを提供するものである。【解決手段】紙質材を粉砕しその表面にワックスなどの撥水層がコーティングされた紙繊維と、該紙繊維を結合するバインダーとからなる繊維体を加熱成形して、少なくとも片面にエンボス部が形成された薄板状のマットとすることを特徴とするものである。また、前記紙質材が紙管であること、前記マットの表面にマット分割用のミシン目を形成することにも特徴を有する。【選択図】図１
0003154354.tif 000002
【実用新案登録請求の範囲】
【請求項１】
紙質材を粉砕しその表面にワックスなどの撥水層がコーティングされた紙繊維と、
該紙繊維を結合するバインダーと、
からなる繊維体を加熱成形して少なくとも片面にエンボス部が形成された薄板状のマットとする家庭用油吸着マット。
【請求項２】
前記紙質材が、紙管であることを特徴とする請求項1記載の家庭用油吸着マット。
【請求項３】
前記マットの表面にマット分割用のミシン目が形成されていることを特徴とする請求項１又は２に記載の家庭用油吸着マット。
【考案の詳細な説明】
【技術分野】
【０００１】
本考案は、例えば、家庭内において物品に付着した食用油、水面上に拡散した油分を直接に吸収する家庭用油吸着マットに関する。
【背景技術】
【０００２】
従来、家庭用に特化した油吸着材に関する発明および考案は具体的な提案が少なく、工業用油吸着材を家庭用として使用することが一般的であった。油吸着材は親油性の合成樹脂繊維からなるものが多く知られているが、合成樹脂系の油吸着材は使用後の廃棄時に焼却処理される場合、有害ガスの発生により環境汚染の要因となることが懸念されている。そのため、天然繊維を用いる油吸着材や、油脂類、セルロースエステル、あるいはシリコン樹脂等で覆われた紙パルプを用いる油吸着材が提案されている。
【先行技術文献】
【特許文献】
【０００３】
【特許文献１】特開昭５０−１３７８８７号公報
【特許文献２】特開平５−２０２３５４号公報
【考案の概要】
【考案が解決しようとする課題】
【０００４】
しかし、従来の油吸着材は、油と水両方が存在する場合に、水を先に吸着してしまい油吸収作用が不十分であったり、水の吸着性能を低下させた結果、油の吸着性能を低減させてしまうという問題を有していた。本考案は、前記の課題を解決するためになされたもので、油吸着能に優れ、環境に優しく、小サイズで簡易に使用でき、かつ製造コストの安い家庭用油吸着マットを提供するものである。
【課題を解決するための手段】
【０００５】
本考案の家庭用油吸着マットは、紙質材を粉砕しその表面にワックスなどの撥水層がコーティングされた紙繊維と、該紙繊維を結合するバインダーとからなる繊維体を加熱成形して、少なくとも片面にエンボス部が形成された薄板状のマットとすることを特徴とするものである。また、前記紙質材が紙管であること、前記マットの表面にマット分割用のミシン目を形成することにも特徴を有する。
【考案の効果】
【０００６】
本考案の家庭用油吸着マットは、ワックスなどの撥水層が紙繊維をコーティングしているため、水分を吸着せず油分のみを選択的に吸着することができ、また、エンボス部を形成することにより油吸着マットの表面積を増加させることが可能であるため、従来の油吸着材と比較し油吸着性能を飛躍的に向上できる実用的効果を奏する。
【０００７】
また、本考案の家庭用油吸着マットは、その表面にマット分割用のミシン目を形成することで、家庭内での使用時に適宜なサイズに容易に分割できるという実用的効果を奏する。
【０００８】
さらに、本考案の家庭用油吸着マットは、環境に優しく、製造コストが安価という実用的効果を奏する。
【図面の簡単な説明】
【０００９】
【図１】図１は本考案の一実施の形態に係る家庭用油吸着マットであり、適宜なサイズ、例えば縦７ｃｍ×横１０ｃｍ×厚み２〜１０ｍｍ程度の家庭用油吸着マットを示す説明図である。
【図２】図２は本考案の一実施の形態に係る家庭用油吸着マットであり、表面にマット分割用のミシン目が形成された家庭用油吸着マットを示す説明図である。
【図３】図３は本考案の家庭用油吸着マットの製造方法の一例を示すフロー図である。
【考案を実施するための形態】
【００１０】
本実施形態の家庭用油吸着マットは、水溶性パラフィンワックスなどの撥水剤によりその一部または全部がコーティングされた紙繊維、及びポリプロピレン系やポリエステル系などの化学繊維からなるバインダーの両繊維が互いに交絡した交絡組織を有する。また、紙繊維としては、廃紙製品である紙管を粉砕して粉末状や綿状にしたものを用いる。
【００１１】
以下に、本考案の構成を図面に示す考案の実施の形態に基づいて説明する。
【００１２】
図１は本考案の一実施の形態に係る家庭用油吸着マットであり、適宜なサイズ、例えば縦７ｃｍ×横１０ｃｍ×厚み２〜１０ｍｍ程度の家庭用油吸着マットを示す説明図である。本考案の家庭用油吸着マット１は、図１に示す如く、平面的に広がりのあるマットであり、紙質材を粉砕しその表面にワックスなどの撥水層がコーティングされた紙繊維と、該紙繊維を結合するバインダーとからなる繊維体を加熱成形したものをベース基材２とし、片面に油吸着マットの表面積を増加させるため、エンボス部３を形成する。
【００１３】
図２は本考案の一実施の形態に係る家庭用油吸着マットであり、表面にマット分割用のミシン目４が形成された家庭用油吸着マット５を示す説明図である。当該ミシン目４において、家庭内での使用時に適宜なサイズに容易に分割できる。
【００１４】
図３（ａ）（ｂ）は本考案の家庭用油吸着マットの製造方法の一例を示すフロー図である。以下、図３を参照しながら製造方法について説明する。すなわち本考案の家庭用油吸着マットは例えば以下（１）から（５）の工程を経て製造することができる。
【００１５】
（１）粉砕調整工程：
使用済みの紙管などの紙質材を、ハンマーミル１０を用いて粉体状または綿状に粉砕した後、開繊機１１に送り、繊維を開繊し、これを篩により分級調整して所定サイズに揃え、密度を均一に調整したものを綿状原料とする。
（２）撥水処理工程：
前記紙繊維からなる綿状原料を、エマルジョン化したパラフィンワックスを保持した攪拌層１２内で攪拌分散させる。この処理物を乾燥機１３により乾燥させることによって、その表面にパラフィンワックスからなる撥水層を紙繊維の部分または全体を覆うように形成させる。
（３）分散混合工程：
前記撥水層が形成された綿状の紙繊維をナイロンやポリエステルなどの化学繊維と混合することによって、繊維組成物を得た後、送風機などの輸送手段を介して積層部１４まで搬送する。積層部下部を減圧状態にしておくことで、該組成物を積層部内ベルトコンベアーに均一に分散された状態で堆積させる。
（４）加熱冷却工程：
次に、繊維組成物は、ベルトコンベアーに堆積された状態で加熱機１５に供給され、最大温度２００℃で加熱溶融されて繊維積層物とした後、マット状に成形したものを油吸着マットとする。前記油吸着マットを冷却機１６にて吸引冷却した後、厚み調整部１７にて油吸着マットの厚みを調整する。
（５）サイズ調整工程：
エンボスロール１８により、油吸着マットの表面にエンボス加工を施したものを、適宜なサイズに裁断した後、そのまま巻き取り家庭用油吸着マットとする場合と、ミシン目ロール１９によりミシン目加工し、家庭用油吸着マットとする場合とがある。なお、本考案はその用途に応じて裁断機などにより裁断、加工され、種々の形態のものとして用いることができる。
【００１６】
以上説明したように、本実施の形態の家庭用油吸着マットは、撥水剤コーティングされた紙繊維と、その周囲に加熱溶融されて接着する化学繊維で交絡組織を形成することにより、油吸着性能に優れており、環境に優しく、小サイズで簡易に使用でき、かつ製造コストの安い家庭用油吸着マットを提供するものである。
【符号の説明】
【００１７】
１    家庭用油吸着マット
２    ベース基材
３    エンボス部
４    ミシン目
５    家庭用油吸着マット（ミシン目切り離し前）
１０  ハンマーミル
１１  開繊機
１２  攪拌層
１３  乾燥機
１４  積層部
１５  加熱機
１６  冷却機
１７  厚み調整部
１８  エンボスロール
１９  ミシン目ロール
【図１】
0003154354.tif 000003
【図２】
0003154354.tif 000004
【図３】
0003154354.tif 000005